【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
第１の通信ネットワーク内において通信サーバと第１の動的スペクトルコントローラ（ＤＳＣ）との間の通信リンクを確立し、
前記通信リンクを介して受け取った情報に基づき、前記第１の通信ネットワーク内で割当てに使用可能な無線周波数（ＲＦ）スペクトル資源の量を前記通信サーバにおいて求め、
前記第１の通信ネットワークの使用可能な前記ＲＦスペクトル資源の一部を第２の通信ネットワークによるアクセスおよび使用のために割り当て、
割り当てられた前記ＲＦスペクトル資源の使用を開始してもよいことを前記第２の通信ネットワークに知らせるに適した情報を含む第１の通信メッセージを前記第２の通信ネットワークに送信し、割り当てられた前記ＲＦスペクトル資源を使用するために前記第１の通信ネットワークのｅＮｏｄｅＢに前記第２の通信ネットワーク内のモバイル装置がハンドオフされ、
前記第２の通信ネットワークによる使用のために割り当てられた前記ＲＦスペクトル資源の量を明らかにするトランザクションをトランザクションデータベース内に記録し、
前記第１の通信ネットワークの前記ｅＮｏｄｅＢ内で検出するネットワーク輻輳に基づいて前記ｅＮｏｄｅＢに接続された前記モバイル装置のためのサービス品質（ＱｏＳ）を局所的に制限するまたは格下げすることを試みる前記ｅＮｏｄｅＢへの応答時、前記通信サーバにおいて前記第１のＤＳＣからＱｏＳ格下げ要求を受け取り、前記ＱｏＳ格下げ要求は、前記第１の通信ネットワークの前記ｅＮｏｄｅＢ内で収集された情報を含み、前記第１の通信ネットワークの割り当てられた前記ＲＦスペクトル資源を使用して前記第２の通信ネットワーク内のパケットゲートウェイにアンカされた前記モバイル装置を識別し、
前記第１の通信ネットワーク内の前記第１のＤＳＣから受け取った前記ＱｏＳ格下げ要求を、前記ＱｏＳ格下げ要求を前記第２の通信ネットワーク内のポリシー制御および課金規則機能（ＰＣＲＦ）コンポーネントに送る前記第２の通信ネットワーク内の第２のＤＳＣへ送信し、前記ＰＣＲＦは、追加のＲＦスペクトル資源を回復するために必要な一連の行動を決定することを含む、動的スペクトル仲裁方法。
【請求項２】
前記ＱｏＳ格下げ要求に基づいて、追加のＲＦスペクトル資源を前記第１の通信ネットワークから割り当てないと判定することをさらに含む、請求項１に記載の方法。
【請求項３】
前記ＱｏＳ格下げ要求に含まれる情報に基づき、前記割り当てられたＲＦスペクトル資源の少なくとも一部が前記第１の通信ネットワークによって必要とされるかどうかを前記通信サーバ内で判定し、
前記割り当てられたＲＦスペクトル資源の少なくとも一部が前記第１の通信ネットワークによって必要とされると判定することに応答するに際し、前記割り当てられたＲＦスペクトル資源の使用を終了すべきことを前記第２の通信ネットワークに知らせるに適した情報を含む第２の通信メッセージを前記第２の通信ネットワークに送り、
前記割り当てられたＲＦスペクトル資源の使用が前記第２の通信ネットワークによって終了された時間を明らかにする情報を含めるように、前記トランザクションデータベースを更新することをさらに含む、請求項１に記載の方法。
【請求項４】
前記第１の通信ネットワーク内の前記第１のＤＳＣから受け取った前記ＱｏＳ格下げ要求の前記第２の通信ネットワーク内の前記第２のＤＳＣへ送ることが、前記第２の通信ネットワーク内のアプリケーション機能（ＡＦ）コンポーネントに前記ＱｏＳ格下げ要求を送る前記第２のＤＳＣをさらに含む、請求項１に記載の方法。
【請求項５】
第１の通信ネットワークと第２の通信ネットワークとの間で、使用可能な無線周波数（ＲＦ）スペクトル資源の動的スペクトル仲裁を達成するための通信サーバであって、
前記第１の通信ネットワークおよび前記第２の通信ネットワークと通信するためのネットワーク通信回路と、
メモリと、
前記メモリおよび前記ネットワーク通信回路に結合されるプロセッサと
を含む通信サーバであり、前記プロセッサは、
第１の通信ネットワーク内において通信サーバと第１の動的スペクトルコントローラ（ＤＳＣ）との間の通信リンクを確立し、
前記通信リンクを介して受け取った情報に基づき、前記第１の通信ネットワーク内で割当てに使用可能な無線周波数（ＲＦ）スペクトル資源の量を求め、
前記第１の通信ネットワークの使用可能な前記ＲＦスペクトル資源の一部を第２の通信ネットワークによるアクセスおよび使用のために割り当て、
割り当てられた前記ＲＦスペクトル資源の使用を開始してもよいことを前記第２の通信ネットワークに知らせるに適した情報を含む第１の通信メッセージを前記第２の通信ネットワークに送信し、割り当てられた前記ＲＦスペクトル資源を使用するために前記第１の通信ネットワークのｅＮｏｄｅＢに前記第２の通信ネットワーク内のモバイル装置がハンドオフされ、
前記第２の通信ネットワークによる使用のために割り当てられた前記ＲＦスペクトル資源の量を明らかにするトランザクションをトランザクションデータベース内に記録し、
前記第１の通信ネットワークの前記ｅＮｏｄｅＢ内で検出するネットワーク輻輳に基づいて前記ｅＮｏｄｅＢに接続された前記モバイル装置のためのサービス品質（ＱｏＳ）を局所的に制限するまたは格下げすることを試みる前記ｅＮｏｄｅＢへの応答時、前記第１のＤＳＣからＱｏＳ格下げ要求を受け取り、前記ＱｏＳ格下げ要求は、前記第１の通信ネットワークの前記ｅＮｏｄｅＢ内で収集された情報を含み、前記第１の通信ネットワークの割り当てられた前記ＲＦスペクトル資源を使用して前記第２の通信ネットワーク内のパケットゲートウェイにアンカされた前記モバイル装置を識別し、
前記第１の通信ネットワーク内の前記第１のＤＳＣから受け取った前記ＱｏＳ格下げ要求を、前記ＱｏＳ格下げ要求を前記第２の通信ネットワーク内のポリシー制御および課金規則機能（ＰＣＲＦ）コンポーネントに送る前記第２の通信ネットワーク内の第２のＤＳＣへ送信し、前記ＰＣＲＦは、追加のＲＦスペクトル資源を回復するために必要な一連の行動を決定すること、
を含む操作を実行するためのプロセッサ実行可能命令で構成される、
通信サーバ。
【請求項６】
前記ＱｏＳ格下げ要求に基づき、前記第１の通信ネットワークからこれ以上ＲＦスペクトル資源を割り当てるべきではないと判定すること
をさらに含む操作を実行するためのプロセッサ実行可能命令で前記プロセッサが構成される、請求項５に記載の通信サーバ。
【請求項７】
前記ＱｏＳ格下げ要求に含まれる情報に基づき、前記割り当てられたＲＦスペクトル資源の少なくとも一部が前記第１の通信ネットワークによって必要とされるかどうかを判定し、
前記割り当てられたＲＦスペクトル資源の少なくとも一部が前記第１の通信ネットワークによって必要とされると判定することに応答するに際し、前記割り当てられたＲＦスペクトル資源の使用を終了すべきことを前記第２の通信ネットワークに知らせるに適した情報を含む第２の通信メッセージを前記第２の通信ネットワークに送り、
前記割り当てられたＲＦスペクトル資源の使用が前記第２の通信ネットワークによって終了された時間を明らかにする情報を含めるように、前記トランザクションデータベースを更新すること、
をさらに含む操作を実行するためのプロセッサ実行可能命令で前記プロセッサが構成される、請求項５に記載の通信サーバ。
【請求項８】
前記第１の通信ネットワーク内の前記第１のＤＳＣから受け取った前記ＱｏＳ格下げ要求の前記第２の通信ネットワーク内の前記第２のＤＳＣへ送ることが、前記第２の通信ネットワーク内のアプリケーション機能（ＡＦ）コンポーネントに前記ＱｏＳ格下げ要求を送る前記第２のＤＳＣをさらに含むように、
プロセッサ実行可能命令で前記プロセッサが構成される、請求項５に記載の通信サーバ。
【請求項９】
第１の通信ネットワーク内において通信サーバと第１の動的スペクトルコントローラ（ＤＳＣ）との間の通信リンクを確立し、
前記通信リンクを介して受け取った情報に基づき、前記第１の通信ネットワーク内で割当てに使用可能な無線周波数（ＲＦ）スペクトル資源の量を求め、
前記第１の通信ネットワークの使用可能な前記ＲＦスペクトル資源の一部を第２の通信ネットワークによるアクセスおよび使用のために割り当て、
割り当てられた前記ＲＦスペクトル資源の使用を開始してもよいことを前記第２の通信ネットワークに知らせるに適した情報を含む第１の通信メッセージを前記第２の通信ネットワークに送信し、割り当てられた前記ＲＦスペクトル資源を使用するために前記第１の通信ネットワークのｅＮｏｄｅＢに前記第２の通信ネットワーク内のモバイル装置がハンドオフされ、
前記第２の通信ネットワークによる使用のために割り当てられた前記ＲＦスペクトル資源の量を明らかにするトランザクションをトランザクションデータベース内に記録し、
前記第１の通信ネットワークの前記ｅＮｏｄｅＢ内で検出するネットワーク輻輳に基づいて前記ｅＮｏｄｅＢに接続された前記モバイル装置のためのサービス品質（ＱｏＳ）を局所的に制限するまたは格下げすることを試みる前記ｅＮｏｄｅＢへの応答時、前記第１のＤＳＣからＱｏＳ格下げ要求を受け取り、前記ＱｏＳ格下げ要求は、前記第１の通信ネットワークの前記ｅＮｏｄｅＢ内で収集された情報を含み、前記第１の通信ネットワークの割り当てられた前記ＲＦスペクトル資源を使用して前記第２の通信ネットワーク内のパケットゲートウェイにアンカされた前記モバイル装置を識別し、
前記第１の通信ネットワーク内の前記第１のＤＳＣから受け取った前記ＱｏＳ格下げ要求を、前記ＱｏＳ格下げ要求を前記第２の通信ネットワーク内のポリシー制御および課金規則機能（ＰＣＲＦ）コンポーネントに送る前記第２の通信ネットワーク内の第２のＤＳＣへ送信し、前記ＰＣＲＦは、追加のＲＦスペクトル資源を回復するために必要な一連の行動を決定すること、
を含む動的スペクトル仲裁（ＤＳＡ）操作を通信サーバ内のプロセッサに実行させるように構成されるプロセッサ実行可能ソフトウェア命令が記憶された、非一時的コンピュータ可読記憶媒体。
【請求項１０】
前記ＱｏＳ格下げ要求に基づき、前記第１の通信ネットワークからこれ以上ＲＦスペクトル資源を割り当てるべきではないと判定すること
をさらに含む操作をプロセッサに実行させるように、前記記憶されたプロセッサ実行可能ソフトウェア命令が構成される、請求項９に記載の非一時的コンピュータ可読記憶媒体。
【請求項１１】
前記ＱｏＳ格下げ要求に含まれる情報に基づき、前記割り当てられたＲＦスペクトル資源の少なくとも一部が前記第１の通信ネットワークによって必要とされるかどうかを判定し、
前記割り当てられたＲＦスペクトル資源の少なくとも一部が前記第１の通信ネットワークによって必要とされると判定することに応答するに際し、前記割り当てられたＲＦスペクトル資源の使用を終了すべきことを前記第２の通信ネットワークに知らせるに適した情報を含む第２の通信メッセージを前記第２の通信ネットワークに送り、
前記割り当てられたＲＦスペクトル資源の使用が前記第２の通信ネットワークによって終了された時間を明らかにする情報を含めるように、前記トランザクションデータベースを更新すること、
をさらに含む操作をプロセッサに実行させるように、前記記憶されたプロセッサ実行可能ソフトウェア命令が構成される、請求項９に記載の非一時的コンピュータ可読記憶媒体。
【請求項１２】
前記第１の通信ネットワーク内の前記第１のＤＳＣから受け取った前記ＱｏＳ格下げ要求の前記第２の通信ネットワーク内の前記第２のＤＳＣへ送ることが、前記第２の通信ネットワーク内のアプリケーション機能（ＡＦ）コンポーネントに前記ＱｏＳ格下げ要求を送る前記第２のＤＳＣをさらに含むように、
操作をプロセッサに実行させるように、前記記憶されたプロセッサ実行可能ソフトウェア命令が構成される、請求項９に記載の非一時的コンピュータ可読記憶媒体。